(57)【要約】【課題】紙幣識別装置の製造コストを低減させる。【解決手段】スタッカ１２を収納する本体の収納部１３の側壁１５に外向きに、南京錠の略Ｕ字状のつるを挿通させるための施錠孔が穿設された帯状の鍵金具１９を突設する。また、鍵金具１９をガイドにし側壁１５を介して進退自在に、収納部１３への挿入位置ではスタッカ１２を係止させるとともに施錠孔を出現させ、収納部１３からの離脱位置ではスタッカ１２を係止解除させるとともに施錠孔を隠蔽させるようにしたストッパ２１を設ける。このようにすると、スタッカ１２には鍵金具１９が不要であるため、紙幣識別装置１０に対する施錠装置１７の要否に拘わらずスタッカ１２を共通化することができる。【選択図】図１
2007164499.tif 000002
【特許請求の範囲】
【請求項１】
紙幣を収納するスタッカが本体に対して着脱自在にかつ施錠可能に設けられた紙幣識別装置において、
前記スタッカを収納する前記本体の収納部の側壁に外向きに突設され、南京錠の略Ｕ字状のつるを挿通させるための施錠孔が穿設された帯状の鍵金具と、
前記鍵金具をガイドにし前記側壁を介して進退自在に設けられ、前記収納部への挿入位置では前記スタッカを係止させるとともに前記施錠孔を出現させ、前記収納部からの離脱位置では前記スタッカを係止解除させるとともに前記施錠孔を隠蔽させるようにしたストッパと、
を備えていることを特徴とする紙幣識別装置。
【請求項２】
前記ストッパは、前記鍵金具を挟んで平行に延びる２つのビームと、前記側壁に穿設されたスリットを介して前記収納部の中に延びるそれぞれの前記ビームの自由端に形成されて前記スリットからの脱落を防止する突起部と、それぞれの前記ビームの結合部に穿設されて前記鍵金具が遊貫されるガイド孔とを有していることを特徴とする請求項１記載の紙幣識別装置。
【請求項３】
前記ストッパは、前記ビーム、前記突起部および前記結合部が可撓性の樹脂により一体に形成され、前記ビームの自由端が前記突起部によるスナップフィット構造により前記側壁の前記スリットを貫通して配置されるようにしたことを特徴とする請求項２記載の紙幣識別装置。
【請求項４】
前記スタッカは、前記鍵金具が設けられた前記側壁に対向する側面に突設され、前記ストッパが前記挿入位置にあるときに前記ストッパにより係止されて前記本体からの離脱を防止するリブを有していることを特徴とする請求項１記載の紙幣識別装置。
【請求項５】
前記ストッパと前記側壁との間に配置されて前記ストッパを前記挿入位置から前記離脱位置へ向けて付勢するばねをさらに備えていることを特徴とする請求項１記載の紙幣識別装置。
【請求項６】
前記鍵金具は、前記側壁にねじにより固定されていることを特徴とする請求項１記載の紙幣識別装置。
【発明の詳細な説明】
【技術分野】
【０００１】
本発明は紙幣識別装置に関し、特に自動販売機などに搭載されて投入された紙幣を識別して収納し、収納された紙幣の盗難を抑止することができる紙幣識別装置に関する。
【背景技術】
【０００２】
一般に、缶ジュースや煙草などの自動販売機においては、その前面扉に、硬貨を投入する硬貨挿入口、紙幣を投入する紙幣挿入口、投入された硬貨や紙幣を返却するための返却レバー、および、釣銭としての硬貨や返却される硬貨を取り出す硬貨返却口などが設けられている。これらの硬貨挿入口および紙幣挿入口は、前面扉の裏面にそれぞれ設けられた硬貨識別装置および紙幣識別装置に一体に形成されている。
【０００３】
このような自動販売機に紙幣が投入されると、その紙幣を紙幣識別装置が識別し、正しく識別できた場合には投入された紙幣を内部に設けられた紙幣を収納するスタッカに収納し、正しく識別できなかった場合には返却している。
【０００４】
自動販売機に収納された紙幣を回収する場合などの保守時には、自動販売機の前面扉が開けられて内部が露出し、同時に、スタッカを備えた紙幣識別装置も露出することになる。その際、自動販売機は屋外に設置される場合が多いので、紙幣もしくは紙幣を収納したスタッカが盗難される危険がある。
【０００５】
このような危険を抑止するため、紙幣識別装置本体にスタッカを装着している場合には、紙幣識別装置本体とスタッカとを施錠して保守時以外はスタッカを容易に取り外せないようにした紙幣識別装置が知られている（たとえば、特許文献１参照）。この紙幣識別装置では、紙幣識別装置本体とスタッカとに鍵金具が設けられ、これらの鍵金具を南京錠で互いに結合させることで施錠している。このような南京錠によるスタッカの施錠例について、以下に説明する。
【０００６】
図９は従来の紙幣識別装置の外観斜視図、図１０は従来の紙幣識別装置の施錠状態を示す外観斜視図である。
従来の紙幣識別装置１００は、図９に示したように、その本体に着脱可能に構成されたスタッカ１０１を備え、そのスタッカ１０１とこれを紙幣識別装置１００本体に収納する収納部の側壁１０２とにそれぞれ鍵金具１０３，１０４が設けられている。これらの鍵金具１０３，１０４には、スタッカ１０１を紙幣識別装置１００本体の収納部へ装着した場合に互いに整合する孔部１０５，１０６が穿設されている。
【０００７】
通常の運用時では、図１０に示したように、スタッカ１０１は、紙幣識別装置１００本体の収納部へ装着され、さらに、鍵金具１０３，１０４の孔部１０５，１０６に南京錠１０７の略Ｕ字状のつるを挿通して施錠される。これにより、着脱可能なスタッカ１０１は紙幣識別装置１００本体に固定され、南京錠１０７を開錠しない限り紙幣識別装置１００本体から取り外すことができなくなる。これにより、保守作業を行っている際に自動販売機の前面扉を開けたままにしても盗難に遭う危険性を低減することができる。
【特許文献１】特許第３１３７１６１号公報（段落〔００９３〕〜〔００９４〕、図３０〜図３１）
【発明の開示】
【発明が解決しようとする課題】
【０００８】
しかし、従来の紙幣識別装置では、以上のような施錠装置を必要とするものと必要としないものとが要求されているので、スタッカと紙幣識別装置本体との双方において、それぞれ２種類用意する必要があり、どうしても紙幣識別装置の製造コストが増加してしまうという問題があった。
【０００９】
本発明は、このような点に鑑みてなされたものであり、製造コストを低減させることができる紙幣識別装置を提供することを目的とする。
【課題を解決するための手段】
【００１０】
本発明では、上記課題を解決するために、紙幣を収納するスタッカが本体に対して着脱自在にかつ施錠可能に設けられた紙幣識別装置において、前記スタッカを収納する前記本体の収納部の側壁に外向きに突設され、南京錠の略Ｕ字状のつるを挿通させるための施錠孔が穿設された帯状の鍵金具と、前記鍵金具をガイドにし前記側壁を介して進退自在に設けられ、前記収納部への挿入位置では前記スタッカを係止させるとともに前記施錠孔を出現させ、前記収納部からの離脱位置では前記スタッカを係止解除させるとともに前記施錠孔を隠蔽させるようにしたストッパと、を備えていることを特徴とする紙幣識別装置が提供される。
【００１１】
このような紙幣識別装置によれば、スタッカには鍵金具が不要であるため、紙幣識別装置に対する施錠装置の要否に拘わらずスタッカを共通化することができる。これにより、１種類のスタッカを用意すればよいので、紙幣識別装置の製造コストを低減させることができる。
【発明の効果】
【００１２】
本発明の紙幣識別装置は、スタッカには鍵金具が不要であるため、紙幣識別装置に対する施錠装置の要否に拘わらずスタッカを共通化することができる。これにより、１種類のスタッカを用意すればよいので、紙幣識別装置の製造コストを低減させることができる。
【発明を実施するための最良の形態】
【００１３】
以下、本発明の実施の形態を、缶ジュースや煙草などの自動販売機に適用される場合を例に、図面を参照して詳細に説明する。
まず、紙幣識別装置の構成について説明する。
【００１４】
図１は本発明による紙幣識別装置の外観斜視図、図２は施錠装置の要部を拡大して示す斜視図、図３は施錠装置の要部詳細を拡大して示す部分破断斜視図、図４は紙幣識別装置の断面を示す斜視図である。
【００１５】
この紙幣識別装置１０は、自動販売機の前面扉に内側から取り付けられ、図１に示した状態の上部背面側に、紙幣を投入する紙幣挿入口が一体に設けられている。
紙幣識別装置１０は、その上部に紙幣挿入口を有する紙幣識別部１１が設けられ、下部には、スタッカ１２を収納する収納部１３が設けられている。この収納部１３には、スタッカ１２が着脱自在に取り付けられている。すなわち、スタッカ１２は、その下部が収納部１３に係脱自在に取り付けられる構成を有し、収納部１３に係止されている状態では、その係止部を中心に揺動可能になっていて、図１に示したように、上部を引き起こすことができるようになっている。スタッカ１２を収納部１３に装着するときには、スタッカ１２の上部を収納部１３へ押し込むことで、スタッカ１２の上部両側面に設けられたラッチ１４が収納部１３の側壁１５の縁部に係止され、スタッカ１２は、紙幣識別装置１０本体に固定される。
【００１６】
スタッカ１２をその収納部１３から取り外す際には、まず、ラッチ１４に連結されたラッチ操作部１６をそれぞれ内側方向へ移動させ、これによりラッチ１４を側壁１５の縁部から外す。引き続いて、スタッカ１２の上部をそのまま引き起こし、さらにその下部の係止部を外すことによって、スタッカ１２をその収納部１３から取り外すことができる。
【００１７】
紙幣識別装置１０は、また、収納部１３を構成する側壁１５に、施錠装置１７が設けられ、スタッカ１２の両側面には、その施錠装置１７と協働するリブ１８がそれぞれ突設されている。
【００１８】
施錠装置１７は、図２および図３に示すように、収納部１３の側壁１５に外向きに突設された帯状の鍵金具１９を有している。この鍵金具１９は、図示はしないが、ねじにより側壁１５に固定されている。また、この鍵金具１９には、施錠孔２０が穿設されている。また、施錠装置１７は、鍵金具１９をガイドにし、側壁１５に進退自在に設けられたストッパ２１を有している。
【００１９】
このストッパ２１は、収納部１３の側壁１５に設けられたスリット２２を介して収納部１３の中に鍵金具１９を挟んで平行に延びる２つのビーム２３と、２つのビーム２３の自由端にそれぞれ形成される突起部２４とを有している。２つのビーム２３は結合部２５により結合されていて、その結合部２５には鍵金具１９が遊貫するガイド孔２６が穿設されている。これらのビーム２３、突起部２４および結合部２５は、プラスチックなどの可撓性の樹脂により一体に形成されている。このようなストッパ２１は、突起部２４によるスナップフィット構造により、ビーム２３の自由端が側壁１５のスリット２２を貫通して配置されている。このストッパ２１の突起部２４は、スリット２２からのストッパ２１の脱落を防止している。
【００２０】
また、側壁１５とストッパ２１との間には、ばね２７が設けられている。このばね２７は、ストッパ２１を、ビーム２３が収納部１３に挿入されている挿入位置から、ビーム２３が収納部１３から離脱している離脱位置に向けて付勢している。
【００２１】
以上の構成の紙幣識別装置１０において、その動作について説明する。
まず、スタッカ１２に収納された紙幣を回収する際に、施錠装置１７が開錠されている場合について説明する。
【００２２】
ストッパ２１は、ばね２７により、収納部１３から離脱する方向に付勢されている。このストッパ２１が、図４に示すように、離脱位置に移動し、ビーム２３とスタッカ１２のリブ１８との係止状態が解除され、かつ、突起部２４が側壁１５に係止する。この際、ストッパ２１は、鍵金具１９の施錠孔２０を隠蔽する。さらに、ラッチ操作部１６が指で操作されると、この操作に連動してラッチ１４はスタッカ１２の内側に向かって退避し、ラッチ１４と側壁１５の縁部との係止は解除され、スタッカ１２は、図１に示すような状態になる。これにより、スタッカ１２は、その上部が開放されるので、この段階で、スタッカ１２に収納されている紙幣を引き抜くことによって回収することができる。あるいは、スタッカ１２をその収納部１３から取り外し、紙幣を収納したまま会計場所まで持ち運び、そこでスタッカ１２内の紙幣を回収することもできる。
【００２３】
自動販売機の運用時のような通常状態では、紙幣識別装置１０は、その本体にスタッカ１２が施錠されることになるが、次に、その施錠動作について説明する。
図５は本発明による紙幣識別装置の施錠状態を示す外観斜視図、図６は施錠状態の施錠装置の要部を拡大して示す斜視図、図７は施錠状態の施錠装置の要部詳細を拡大して示す部分破断斜視図、図８は施錠状態の紙幣識別装置の断面を示す斜視図である。
【００２４】
上述のように、スタッカ１２をその収納部１３へ装着した状態では、施錠装置１７のストッパ２１は、ばね２７によって外側に付勢されているので、鍵金具１９の施錠孔２０はストッパ２１によって隠蔽されている。ここで、ストッパ２１をばね２７の付勢力に抗して収納部１３へ押し込むと、鍵金具１９の施錠孔２０が出現するので、その施錠孔２０に南京錠の略Ｕ字状のつるを挿通し、その南京錠を施錠する。これにより、ストッパ２１は、図５および図６に示したように、南京錠の略Ｕ字状のつるによって収納部１３へ押し込まれた状態が維持される。この際、押し込まれたストッパ２１は、図７および図８に示したように、そのビーム２３の自由端がスタッカ１２のリブ１８に係合するので、スタッカ１２は、たとえラッチ１４を外したとしても、取り外すことはできなくなる。これにより、自動販売機の前面扉を開放した状態で係員が持ち場を離れたとしても、紙幣が収納されているスタッカ１２の盗難を防ぐことができる。
【図面の簡単な説明】
【００２５】
【図１】本発明による紙幣識別装置の外観斜視図である。
【図２】施錠装置の要部を拡大して示す斜視図である。
【図３】施錠装置の要部詳細を拡大して示す部分破断斜視図である。
【図４】紙幣識別装置の断面を示す斜視図である。
【図５】本発明による紙幣識別装置の施錠状態を示す外観斜視図である。
【図６】施錠状態の施錠装置の要部を拡大して示す斜視図である。
【図７】施錠状態の施錠装置の要部詳細を拡大して示す部分破断斜視図である。
【図８】施錠状態の紙幣識別装置の断面を示す斜視図である。
【図９】従来の紙幣識別装置の外観斜視図である。
【図１０】従来の紙幣識別装置の施錠状態を示す外観斜視図である。
【符号の説明】
【００２６】
１０  紙幣識別装置
１１  紙幣識別部
１２  スタッカ
１３  収納部
１４  ラッチ
１５  側壁
１６  ラッチ操作部
１７  施錠装置
１８  リブ
１９  鍵金具
２１  ストッパ
【図１】
2007164499.tif 000003
【図２】
2007164499.tif 000004
【図３】
2007164499.tif 000005
【図４】
2007164499.tif 000006
【図５】
2007164499.tif 000007
【図６】
2007164499.tif 000008
【図７】
2007164499.tif 000009
【図８】
2007164499.tif 000010
【図９】
2007164499.tif 000011
【図１０】
2007164499.tif 000012